(57)【要約】  【課題】  電気掃除機の本体を肩に掛けて使用する肩掛け型の電気掃除機であって、本体を小型化、軽量化するとともに、本体を肩から外した状態であっても使いやすく、また、収納しやすい電気掃除機を提供する。  【解決手段】  吸引力発生用の電動送風機１を内蔵する本体３と、本体３に一端が接続されるホース組品５と、ホース組品５の他端に一端が接続される延長管６と、延長管６の他端に接続される吸込ノズル７と、本体３を肩に掛ける肩掛け用ベルト４とを備える肩掛け型の電気掃除機において、本体３を係脱自在に係止する係止部８を延長管６の所定位置に設けるとともに、係止部８に係止される被係止部９を本体３の外面部に設ける。【選択図】      図２
2005198941.tif 000002
【特許請求の範囲】
【請求項１】
吸引力発生用の電動送風機を内蔵する本体と、該本体に一端が接続されるホースと、該ホースの他端に一端が接続される延長管と、該延長管の他端に接続される吸込具と、前記本体を肩に掛けるベルトとを備える肩掛け型の電気掃除機において、
前記本体を係脱自在に係止する係止部を前記延長管の第１の所定位置に設けるとともに、前記係止部に係止される被係止部を前記本体に設けたことを特徴とする電気掃除機。
【請求項２】
前記被係止部が、前記本体の外面部に形成された貫通孔であり、
前記係止部が、略Ｌ字形状であるとともに、
前記本体が係止されているときに前記貫通孔の下側開口を介して前記貫通孔内に挿入されている第１の先端部と、
前記延長管に巻回して固定された第１の固定部と、
を有していることを特徴とする請求項１に記載の電気掃除機。
【請求項３】
床に置かれた前記本体に係合して前記延長管を立てた状態に保持する保持部を前記延長管の第２の所定位置に設けたことを特徴とする請求項２に記載の電気掃除機。
【請求項４】
前記保持部が、略Ｌ字形状であるとともに、
前記本体に係合しているときに前記貫通孔の上側開口を介して前記貫通孔内に挿入されている第２の先端部と、
前記延長管に巻回して固定された第２の固定部と、
を有していることを特徴とする請求項３に記載の電気掃除機。
【請求項５】
塵埃を集積する集塵部を、前記延長管の一部、または前記ホースの一部、または前記延長管とホースとの間に設けたことを特徴とする請求項１〜請求項４のいずれかに記載の電気掃除機。
【請求項６】
前記延長管の一部に設けられ塵埃を集積する集塵部と前記本体とが略同一直径の略円筒形状であるとともに、前記本体が前記係止部に係止されているときに、前記集塵部と本体とが近接し、且つ、前記集塵部の中心軸と前記本体の中心軸とが略同一線上になるように構成されていることを特徴とする請求項１〜請求項４のいずれかに記載の電気掃除機。
【請求項７】
前記集塵部の集塵方式が、サイクロン方式であることを特徴とする請求項５または請求項６に記載の電気掃除機。
【発明の詳細な説明】
【技術分野】
【０００１】
本発明は、電気掃除機に関するものであり、特に、電気掃除機の本体を肩に掛けて使用する肩掛け型の電気掃除機に関するものである。
【背景技術】
【０００２】
電気掃除機の本体を、その本体に備えられた車輪を利用して引きずりながら移動するタイプの電気掃除機では、移動時に床面や家具等を傷つけたり、移動の障害になる物を取り除くために一旦掃除を中断しなければならなかったり、或いは階段等の段差のあるところでは、その段差を乗り越えさせるために一旦本体を持ち上げねばならなかったりした。
【０００３】
また、電気掃除機の本体に把手を有し、片手でその本体を持ったまま移動するタイプもあるが、片手がふさがり掃除がしにくい、また、本体を長時間持っていると手が疲れてしまうという問題があった。
【０００４】
このような問題を解決する電気掃除機として、従来より、電気掃除機の本体を肩に掛けて使用する肩掛け型の電気掃除機が知られている。そのような従来の肩掛け型の電気掃除機は、図１１に示すように、電動送風機１とその吸込側に連通する集塵部２を内蔵した本体３を肩掛け用ベルト４で使用者の肩に掛けるように構成されている。この本体３は、肩にかかる負担を軽減するために、小型化、軽量化されている。
【０００５】
また、５は可撓性を有するホース部材５ａと、ホース部材５ａの一端に接続された把持部となる曲がり管５ｂとから成るホース組品であり、ホース部材５ａの他端は本体３に設けられ集塵部２に連通する吸込口３ａに接続されている。また、曲がり管５ｂに延長管６が接続され、更に、延長管６の先端に吸込ノズル７が接続されている。これにより、吸込ノズル７、延長管６、曲がり管５ｂ、ホース部材５ａ、吸込口３ａ、集塵部２、電動送風機１を順に通って連通する塵埃通気路が形成されている。
【０００６】
このような肩掛け型の電気掃除機は、シンプルな構成であるとともに、掃除中、床に置かれた障害物や段差等を気にすることなく移動でき、また、床のみならず棚等の高いところの掃除も容易に行うことができる。
【０００７】
また、長手方向の側面が緩やかな円弧面を有する本体に肩掛けバンドを設けた肩掛け式電気掃除機であって、該本体の長手方向の中心部に、該中心部を支点として反転可能なばね板を該本体に対し弾発的に密接して取付け、該本体が使用者の腰の付近で揺動するのを防止する肩掛け式電気掃除機がある（例えば、特許文献１参照）。
【０００８】
また、サイクロン分離装置と、ハンドル管に連通する真空源とを具備し、前記ハンドル管がシャフト管によりノズルに接続され、かつ、前記サイクロン分離装置に連通して成る真空掃除機において、前記サイクロン分離装置が、倒立円錐台部により少なくとも部分的に画成される渦室と、前記渦室の上方部に配設された入口と、部分的に脱塵された空気のための前記真空源に連通した第１の出口と、分離された粒子のための前記渦室の下方部に配設された第２の出口であって、ダスト集積室に連通する第２の出口とを具備する真空掃除機もある（例えば、特許文献２参照）。
【特許文献１】特開昭６１―６２４２２号公報
【特許文献２】特開平１０―８５１５９号公報
【発明の開示】
【発明が解決しようとする課題】
【０００９】
図１１に示す従来の肩掛け型の電気掃除機は、掃除中に本体３が使用者の体に当たったり、まとわりついたりするため、掃除する場所や使用者の状態等によっては使いづらい面がある。また、本体３は軽量化を図っているといえども、長時間肩に掛けると、肩が疲れるという問題もある。しかしながら、本体３を肩から外すと、片手で本体３を持たねばならなくなり、掃除がしにくくなるという問題がある。更に、収納する場合、本体３、ホース組品５、延長管６、吸込ノズル７の全てを外さなければ、電気掃除機全体が床または壁に沿って長く延びた状態となり、収納スペースを大きくとることになるという問題もあった。
【００１０】
また、特許文献１に記載の従来技術では、掃除中に肩に掛けた本体の揺動を抑制して、肩掛けバンドが肩から外れることをある程度防止することはできるが、本体が使用者の体に当たったり、まとわりついたりすることを防ぐことはできない。また、肩にかかる本体の荷重を軽減するものでもない。
【００１１】
また、特許文献２に記載の従来技術では、サイクロン分離装置により、ノズルから吸い込まれる塵埃を含む空気中から比較的大きな粒子だけを分離してダスト集積室に集積することはできるが、真空源を含む本体側のハウジング内のダストバッグを無くすことはできず、本体側を小型化することはできない。
【００１２】
本発明は、上記の点に鑑み、電気掃除機の本体を肩に掛けて使用する肩掛け型の電気掃除機であって、本体を小型化、軽量化するとともに、本体を肩から外した状態であっても使いやすく、また、収納しやすい電気掃除機を提供することを目的とする。
【課題を解決するための手段】
【００１３】
上記目的を達成するために本発明は、吸引力発生用の電動送風機を内蔵する本体と、該本体に一端が接続されるホースと、該ホースの他端に一端が接続される延長管と、該延長管の他端に接続される吸込具と、前記本体を肩に掛けるベルトとを備える肩掛け型の電気掃除機において、前記本体を係脱自在に係止する係止部を前記延長管の第１の所定位置に設けるとともに、前記係止部に係止される被係止部を前記本体に設けたものである。
【００１４】
この構成によると、肩に掛けている前記本体の荷重により肩が疲れたときや、前記本体が体にまとわりつくために掃除がしにくいとき等には、前記本体を肩から外し、前記係止部に係止した状態で掃除をすることができる。
【００１５】
また、例えば、前記被係止部が前記本体の外面部に形成された貫通孔であり、前記係止部が略Ｌ字形状であるとともに、前記本体が係止されているときに前記貫通孔の下側開口を介して前記貫通孔内に挿入されている第１の先端部と、前記延長管に巻回して固定された第１の固定部とを有していると良い。
【００１６】
この構成によると、第１の先端部を前記貫通孔に挿入するだけで前記本体を容易に係止することができ、また、前記貫通孔から第１の先端部を引き抜くだけで前記本体を前記係止部から容易に外すことができる。
【００１７】
また、例えば、床に置かれた前記本体に係合して前記延長管を立てた状態に保持する保持部を前記延長管の第２の所定位置に設けると、前記延長管を壁等に立て掛けなくとも、前記延長管を立てた状態のまま保持することができ、電気掃除機を収納する場合において、前記本体、ホース、延長管、吸込ノズルの全てを外さずとも、床の占有面積を小さくしてコンパクトに収納することができる。即ち、電気掃除機全体が床または壁に沿って長く延びた状態になることがなく、収納しやすくなる。
【００１８】
また、例えば、前記保持部が略Ｌ字形状であるとともに、前記本体に係合しているときに前記貫通孔の上側開口を介して前記貫通孔内に挿入されている第２の先端部と、前記延長管に巻回して固定された第２の固定部とを有していると良い。
【００１９】
この構成によると、床に置かれた前記本体の貫通孔に第２の先端部を挿入するだけで前記延長管を容易に立てた状態に保持することができ、収納しやすくなる。また、前記貫通孔から第２の先端部を引き抜くだけで前記延長管を前記本体から容易に外すことができ、迅速に掃除を開始できる。
【００２０】
また、例えば、塵埃を集積する集塵部を、前記延長管の一部、または前記ホースの一部、または前記延長管とホースとの間に設けると、前記本体内に集塵部を設ける必要がなくなるので、前記本体を小型化、軽量化することができ、前記本体を肩に掛けて掃除を行うときの使用者の負担を軽減でき、使い勝手が向上する。
【００２１】
また、例えば、前記延長管の一部に設けられ塵埃を集積する集塵部と前記本体とが略同一直径の略円筒形状であるとともに、前記本体が前記係止部に係止されているときに、前記集塵部と本体とが近接し、且つ、前記集塵部の中心軸と前記本体の中心軸とが略同一線上になるように構成されていると、前記本体の小型化、軽量化ができるとともに、前記本体を前記係止部に係止したときに前記本体と前記集塵部とがコンパクトにまとまるので、前記本体を係止した状態で掃除を行う場合の使い勝手が向上する。また、デザイン的にもまとまり、すっきりとした印象を与えることができる。
【００２２】
また、例えば、前記集塵部の集塵方式がサイクロン方式であると、集塵部に集塵袋を設ける必要がなくなる。
【発明の効果】
【００２３】
本発明によると、吸引力発生用の電動送風機を内蔵する本体と、該本体に一端が接続されるホースと、該ホースの他端に一端が接続される延長管と、該延長管の他端に接続される吸込具と、前記本体を肩に掛けるベルトとを備える肩掛け型の電気掃除機において、前記本体を係脱自在に係止する係止部を前記延長管の第１の所定位置に設けるとともに、前記係止部に係止される被係止部を前記本体に設けたので、肩に掛けている前記本体の荷重により肩が疲れたときや、前記本体が体にまとわりつくために掃除がしにくいとき等には、前記本体を肩から外し、前記係止部に係止した状態で掃除をすることができる。
【発明を実施するための最良の形態】
【００２４】
以下に、本発明の実施形態を図面を参照して説明する。図１、図２は、本発明の第１実施形態の電気掃除機の構成を示す側面図であり、図１は電気掃除機の本体を使用者の肩に掛けている状態を示し、図２は前記本体を延長管に係止している状態を示している。図１、図２において、図１１と同一の部分には同一の符号を付し、その説明を省略する。図１、図２に示す電気掃除機が図１１に示す電気掃除機と相違する点は、延長管６に本体３を係脱自在に係止する係止部８が設けられている点と、本体３に係止部８に係止される被係止部９が設けられている点である。
【００２５】
この係止部８及び被係止部９の構造を図３を参照して説明する。図３は、図２に示す係止されている本体３の断面を拡大して示す要部断面図である。図３において、３ｂは本体３の外面部を形成する本体ケースであり、本体ケース３ｂの内面には電動送風機１が設けられている区画と集塵部２が設けられている区画とを仕切るようにリブ３ｄが形成されており、電動送風機１はこのリブ３ｄに支持されるようになっている。また、本体３に設けられた被係止部９は、下側開口１６と上側開口１７とを有する貫通孔１８であり、このような貫通孔は、例えば、本体ケース３ｂを成形して設けると良い。
【００２６】
一方、係止部８は、略Ｌ字状に形成されており、下側開口１６から貫通孔１８に挿入され本体３と係合する先端部８ａと、延長管６に巻回して固定された固定部８ｂとから成る。この固定部８ｂは、例えば、延長管６の外周面に嵌合するリング形状であると良い。
【００２７】
このような構成により、通常は図１に示すように、本体３を肩に掛けて掃除を行い、肩に掛けている本体３の荷重により肩が疲れたときや、本体３が体にまとわりつくために掃除がしにくいとき等には、本体３を肩から外し、下側開口部１６から貫通孔１８に係止部８の先端部８ａを挿入し、図２に示すように、本体３を係止部８に係止した状態にして掃除をすることができる。
【００２８】
尚、図２において、肩掛け用ベルト４が描かれていないが、これは、肩掛け用ベルト４を本体３から外している状態を示しているためである。本体３を係止部８に係止した状態において、肩掛け用ベルト４は不要であり、むしろ掃除や移動の邪魔になる可能性があるので、予め肩掛け用ベルト４は本体３と着脱自在になるように構成しておき、本体３を係止部８に係止するときには、肩掛け用ベルト４を外すようにしておくと良い。また、肩掛け用ベルト４を、本体３内部または本体３の外面部にコンパクトに収納できるようにしても良い。
【００２９】
図４は、本発明の第２実施形態の電気掃除機の構成を示す側面図である。図４において、図１、図２と同一の部分には同一の符号を付し、その説明を省略する。図４に示す電気掃除機が図１、図２に示す電気掃除機と相違する点は、本体３に係合することによって延長管６を立てた状態に保持する保持部１０が延長管６に設けられている点であり、図４は、延長管６が保持部１０によって本体３に保持されている状態を示している。
【００３０】
この保持部１０の構造を図５を参照して説明する。図５は、図４に示す本体３の断面を拡大して示す要部断面図である。図５において、図３と同一の部分には同一の符号を付し、その説明を省略する。保持部１０は、略Ｌ字状に形成されており、上側開口１７から貫通孔１８に挿入されて係合する先端部１０ａと、延長管６に巻回して固定された固定部１０ｂとから成る。この固定部１０ｂは、例えば、延長管６の外周面に嵌合するリング形状であると良い。
【００３１】
このような構成により、延長管６を壁等に立て掛けなくとも、延長管６を立てた状態のまま保持することができ、電気掃除機を収納する場合において、本体３、ホース組品５、延長管６、吸込ノズル７の全てを外さずとも、床の占有面積を小さくしてコンパクトに収納することができる。即ち、電気掃除機を収納する場合、まず、本体３を底部３ｃが床１１に接するようにして置き、次に、上側開口部１７から貫通孔１８に保持部１０の先端部１０ａを挿入する。
【００３２】
このようにすると、図４に示すように、延長管６を立てた状態に保持して収納することができ、電気掃除機全体が床または壁に沿って長く延びた状態になることがなく、収納しやすくなる。また、図４に示すように収納されている状態から掃除を開始するときは、延長管６を持ち上げて保持部１０の先端部１０ａを貫通孔１８から引き抜くだけで、延長管６を本体３から外すことができ、迅速に掃除を開始できる。
【００３３】
図６、図７は、本発明の第３実施形態の電気掃除機の構成を示す側面図であり、図６は電気掃除機の本体３を使用者の肩に掛けている状態を示し、図７は本体３を係止部８に係止している状態を示している。図６、図７において、図１、図２と同一の部分には同一の符号を付し、その説明を省略する。
【００３４】
図６、図７に示す電気掃除機が図１、図２に示す電気掃除機と相違する点は、本体３に内蔵されていた集塵部２を無くし、その代わりに、ホース組品５の曲がり管５ｂと延長管６との間に新たに集塵部１９が設けられている点である。そして、延長管６と曲がり管５ｂとは集塵部１９を介して連通するようになっている。また、本体３に内蔵されている電動送風機１の吸気側は吸込口３ａに直接、連通するように構成されている。
【００３５】
このように集塵部１９を曲がり管５ｂと延長管６との間に設けても、吸込ノズル７、延長管６、集塵部１９、曲がり管５ｂ、ホース部材５ａ、吸込口３ａ、電動送風機１を順に通って連通する塵埃通気路が形成されるので、電気掃除機本来の集塵機能が損なわれることはない。
【００３６】
そして、このように使用者の肩に掛ける本体３から集塵部を無くすことにより、本体３を小型化、軽量化することができ、本体３を肩に掛けて掃除するときの使用者の負担を軽減することができる。また、このようにして本体３を小型化、軽量化したとはいえ、肩に掛けた本体３の荷重により肩が疲れたときや、本体３が体にまとわりつくために掃除がしにくいとき等には、本体３を肩から外し、下側開口部１６から貫通孔１８に係止部８の先端部８ａを挿入し、図７に示すように、本体３を係止部８に係止した状態にして掃除をすることができる。
【００３７】
尚、集塵部１９を設ける位置は、曲がり管５ｂと延長管６との間に限定されるものではなく、塵埃通気路を形成する本体３以外の位置であって、ホース組品５の一部や延長管６の一部等、他の位置であっても構わない。
【００３８】
また、図１、図２に示す本体３に内蔵されている集塵部２は、集塵袋による集塵方式にした方が本体３の小型化が図れ有利であるが、図６、図７に示す集塵部１９は、肩に掛ける本体３に内蔵されていないので、本体３内に設ける場合より大型化することが可能である。従って、集塵部１９を、後述するようなサイクロン方式による集塵方式を採用したものにしても構わない。
【００３９】
図８、図９は、本発明の第４実施形態の電気掃除機の構成を示す側面図であり、図８は電気掃除機の本体３を使用者の肩に掛けている状態を示し、図９は本体３を係止部８に係止している状態を示している。図８、図９において、図６、図７と同一の部分には同一の符号を付し、その説明を省略する。
【００４０】
図８、図９に示す電気掃除機が図６、図７に示す電気掃除機と相違する点は、ホース組品５と延長管６の間に設けられていた集塵部１９の代わりに、延長管６の一部にサイクロン方式による集塵方式を採用した集塵部２０が設けられている点である。尚、係止部８は、延長管６の集塵部２０が形成されている位置よりホース組品５に近い位置であって、本体３を係止したときに本体３と集塵部１９とが図９に示すように近接する位置に設けられている。
【００４１】
集塵部２０の構造を図１０を参照して説明する。図１０は、図９に示す本体３及び集塵部２０の断面を拡大して示す要部断面図である。集塵部１９は、集塵ケース２５、集塵ケース２５内の空間を外側と内側に二分する内筒２４、延長管６からの空気が導入される導入孔２３から構成されている。尚、図中に示す矢印は空気の流れを表している。
【００４２】
この構成により、吸込ノズル７から吸引された塵埃を含む空気は延長管６から導入孔２３を介して集塵ケース２５内に導入される。そして、この導入された空気が内筒２４の周囲を旋回することにより、この空気中から塵埃が遠心分離され、分離された塵埃は集塵ケース２５内に溜まり集積され、塵埃が分離された空気のみが内筒２４を通過し延長管６を介してホース組品５へ流れていく。このようにして、集塵が行われる。
【００４３】
また、集塵ケース２５の形状は略円筒形状になっている。これは、上述のように、導入孔２３から導入される空気を内筒２４の周囲で旋回させるためには、集塵ケース２５の形状は略円筒形が適しているからである。そして、本体３の本体ケース３ｂの形状も集塵ケース２５と略同一直径の略円筒形状になっており、更に、本体３を係止部８に係止したときに、本体３の中心軸２７と集塵ケース２５の中心軸２６とが略同一線上になり、且つ、本体３と集塵部１９とが近接する位置に係止部８が設けられているので、本体３を係止部８に係止したときには、本体３と集塵部１９とがコンパクトにまとまるようになっている。これにより、本体３を係止部８に係止して掃除をするときの使い勝手が良くなるともに、デザイン的にもまとまり、すっきりとした印象を与えることができる。
【００４４】
尚、本発明は上述の実施形態に限定されるものではなく、本発明の趣旨を逸脱しない範囲において各部の構成等を適宜に変更して実施することも可能である。
【産業上の利用可能性】
【００４５】
以上説明したように、本発明によると、吸引力発生用の電動送風機を内蔵する本体と、該本体に一端が接続されるホースと、該ホースの他端に一端が接続される延長管と、該延長管の他端に接続される吸込具と、前記本体を肩に掛けるベルトとを備える肩掛け型の電気掃除機において、前記本体を係脱自在に係止する係止部を前記延長管の第１の所定位置に設けるとともに、前記係止部に係止される被係止部を前記本体に設けたので、肩に掛けている前記本体の荷重により肩が疲れたときや、前記本体が体にまとわりつくために掃除がしにくいとき等には、前記本体を肩から外し、前記係止部に係止した状態で掃除をすることができる。
【図面の簡単な説明】
【００４６】
【図１】本発明の第１実施形態の電気掃除機の本体を肩に掛けた状態を示す側面図である。
【図２】本発明の第１実施形態の電気掃除機の本体を係止した状態を示す側面図である。
【図３】図２に示す電気掃除機の本体の断面を拡大して示す要部断面図である。
【図４】本発明の第２実施形態の電気掃除機を示す側面図である。
【図５】図４に示す電気掃除機の本体の断面を拡大して示す要部断面図である。
【図６】本発明の第３実施形態の電気掃除機の本体を肩に掛けた状態を示す側面図である。
【図７】本発明の第３実施形態の電気掃除機の本体を係止した状態を示す側面図である。
【図８】本発明の第４実施形態の電気掃除機の本体を肩に掛けた状態を示す側面図である。
【図９】本発明の第４実施形態の電気掃除機の本体を係止した状態を示す側面図である。
【図１０】図９に示す本体及び集塵部の断面を拡大して示す要部断面図である。
【図１１】従来の電気掃除機を示す側面図である。
【符号の説明】
【００４７】
１    電動送風機
２、１９、２０    集塵部
３    本体
３ａ    吸込口
３ｂ    本体ケース（外面部）
３ｃ    底部
３ｄ    リブ
４    肩掛け用ベルト（ベルト）
５    ホース組品（ホース）
５ａ    ホース部材
５ｂ    曲がり管
６    延長管
７    吸込ノズル（吸込具）
８    係止部
８ａ    先端部（第１の先端部）
８ｂ    固定部（第１の固定部）
９    被係止部
１０    保持部
１０ａ    先端部（第２の先端部）
１０ｂ    固定部（第２の固定部）
１１    床
１６    下側開口
１７    上側開口
１８    貫通孔
２３    導入孔
２４    内筒
２５    集塵ケース
２６、２７    中心軸
【図１】
2005198941.tif 000003
【図２】
2005198941.tif 000004
【図３】
2005198941.tif 000005
【図４】
2005198941.tif 000006
【図５】
2005198941.tif 000007
【図６】
2005198941.tif 000008
【図７】
2005198941.tif 000009
【図８】
2005198941.tif 000010
【図９】
2005198941.tif 000011
【図１０】
2005198941.tif 000012
【図１１】
2005198941.tif 000013